(57)【特許請求の範囲】
【請求項１】
それぞれ段ボールからなる表板部、裏板部、及びこれらを連結する対となる側板部を備え、内側寸法が装着する環状蛍光灯の幅及び高さに実質的に一致する断面長方形の角筒体を主体とし、前記表板部には、収納された前記環状蛍光灯に内側から当接して該環状蛍光灯の移動を防止する折り込み片が左右対称に設けられ、
前記各折り込み片は、第１の折り曲げ線によって前記表板部に連結され、実質的に前記環状蛍光灯と同一高さの第１の折り曲げ板部と、該第１の折り曲げ板部に第２の折り曲げ線を介して連結され、使用にあっては前記環状蛍光灯と前記裏板部との間に挟持される第２の折り曲げ板部とを備えることを特徴とする環状蛍光灯の包装箱。
【請求項２】
請求項１記載の環状蛍光灯の包装箱において、前記表板部、裏板部、及びこれらを連結する対となる側板部は、展開状態では所定形状に切断された一枚のシートからなって、前記側板部の何れか一方に前記シートの両端の接合部が設けられていることを特徴とする環状蛍光灯の包装箱。
【請求項３】
それぞれ段ボールからなる表板部、中板部、裏板部、これらの両端を連結する対となる側板部を備え、形成される第１、第２の空間部の内側寸法が装着する環状蛍光灯の幅及び高さに実質的に一致する断面長方形で、前記中板部で仕切られた上下対となる角筒体を主体とし、前記表板部及び裏板部には、挿入された前記環状蛍光灯に内側から当接して該環状蛍光灯の移動を防止する左右対称の折り込み片がそれぞれ設けられ、
それぞれの前記折り込み片は、第１の折り曲げ線によって前記表板部に連結され、実質的に前記環状蛍光灯と同一高さの第１の折り曲げ板部と、該第１の折り曲げ板部に第２の折り曲げ線を介して連結され、使用にあっては前記環状蛍光灯と前記裏板部との間に挟持される第２の折り曲げ板部とを備えることを特徴とする環状蛍光灯の包装箱。
【請求項４】
請求項３記載の環状蛍光灯の包装箱において、前記表板部、中板部、裏板部、及びこれらを連結する対となる側板部は、展開状態では所定形状に切断された一枚のシートからなって、前記側板部の何れか一方に前記シートの両端の接合部が設けられていることを特徴とする環状蛍光灯の包装箱。
【請求項５】
請求項１〜４のいずれか１項に記載の環状蛍光灯の包装箱において、前記第２の折り曲げ線には一部に前記第１の折り曲げ板部に入り込む切り込み線を有し、使用にあっては該切り込み線によって、前記第２の折り曲げ板部に連通する摘み片が形成されることを特徴とする環状蛍光灯の包装箱。
【発明の詳細な説明】
【０００１】
【発明の属する技術分野】
本発明は、段ボールを素材とし、環状蛍光灯を収納するのに使用するスリーブ形式の環状蛍光灯の包装箱に関する。
【０００２】
【従来の技術】
環状蛍光灯は割れやすく、更に環状となっているので、通常は環状蛍光灯の外郭に合わせた比較的高さの低い包装箱に収納して販売されている。この包装箱６９は箱状となって６面を有し、展開状態では、図７に示すように、表板部７０、裏板部７１、これらに連接される側板部７２〜７５、蓋板部７６、側板部７２、７３に連結されて必要に応じて糊付け部となる折り込み部７７〜８０及び蓋板部７６に連接される折り込み部８１を有する一枚の段ボールシートによって構成されている。
【０００３】
【発明が解決しようとする課題】
ところが、従来の包装箱６９においては、環状蛍光灯の全体を覆っているので、展開状態の段ボール製シート材の形状が複雑となり、使用するシート材の量が多いという問題点がある。
また、折り曲げ加工場所や糊付け箇所も比較的多く、製作に手間がいるという問題があった。
本発明はかかる事情に鑑みてなされたもので、従来の箱形式の包装箱からスリーブ形式の包装箱にして、使用する段ボールの量を減らし、更に組立工数も軽減可能な環状蛍光灯の包装箱を提供することを目的とする。
【０００４】
【課題を解決するための手段】
前記目的に沿う第１の発明に係る環状蛍光灯の包装箱は、それぞれ段ボールからなる表板部、裏板部、及びこれらを連結する対となる側板部を備え、内側寸法が装着する環状蛍光灯の幅及び高さに実質的に一致する断面長方形の角筒体を主体とし、前記表板部には、収納された前記環状蛍光灯に内側から当接して該環状蛍光灯の移動を防止する折り込み片が左右対称に設けられ、前記各折り込み片は、第１の折り曲げ線によって前記表板部に連結され、実質的に前記環状蛍光灯と同一高さの第１の折り曲げ板部と、該第１の折り曲げ板部に第２の折り曲げ線を介して連結され、使用にあっては前記環状蛍光灯と前記裏板部との間に挟持される第２の折り曲げ板部とを備えている。
この第１の発明に係る環状蛍光灯の包装箱において、前記表板部、裏板部、及びこれらを連結する対となる側板部は、展開状態では所定形状に切断された一枚のシートからなって、前記側板部の何れか一方に前記シートの両端の接合部が設けられているのが好ましい。
【０００５】
そして、第２の発明に係る環状蛍光灯の包装箱は、それぞれ段ボールからなる表板部、中板部、裏板部、これらの両端を連結する対となる側板部を備え、形成される第１、第２の空間部の内側寸法が装着する環状蛍光灯の幅及び高さに実質的に一致する断面長方形で、前記中板部で仕切られた上下対となる角筒体を主体とし、前記表板部及び裏板部には、挿入された前記環状蛍光灯に内側から当接して該環状蛍光灯の移動を防止する左右対称の折り込み片がそれぞれ設けられ、それぞれの前記折り込み片は、第１の折り曲げ線によって前記表板部に連結され、実質的に前記環状蛍光灯と同一高さの第１の折り曲げ板部と、該第１の折り曲げ板部に第２の折り曲げ線を介して連結され、使用にあっては前記環状蛍光灯と前記裏板部との間に挟持される第２の折り曲げ板部とを備えている。
また、第２の発明に係る環状蛍光灯の包装箱において、前記表板部、中板部、裏板部、及びこれらを連結する対となる側板部は、展開状態では所定形状に切断された一枚のシートからなって、前記側板部の何れか一方に前記シートの両端の接合部が設けられているのが好ましい。
【０００６】
第１、第２の発明に係る環状蛍光灯の包装箱において、前記第２の折り曲げ線には一部に前記第１の折り曲げ板部に入り込む切り込み線を有し、使用にあっては該切り込み線によって、前記第２の折り曲げ板部に連通する摘み片が形成されるのが好ましい。これによって、摘み片を掴みあげて、環状蛍光灯を支持している折り込み片を箱内から引出し、環状蛍光灯を包装箱から容易に取り出すことができる。
前記折り込み片は、収納する環状蛍光灯の中心位置を中心にして左右対称に配置する。これによって、より確実に環状蛍光灯を紙製箱内に固定できる。
【０００７】
【発明の実施の形態】
続いて、添付した図面を参照しつつ、本発明を具体化した実施の形態につき説明し、本発明の理解に供する。
ここに、図１（Ａ）、（Ｂ）はそれぞれ本発明の第１の実施の形態に係る環状蛍光灯の包装箱の平面図及び正断面図、図２は同斜視図、図３は同展開図、図４（Ａ）、（Ｂ）はそれぞれ本発明の第２の実施の形態に係る環状蛍光灯の包装箱の平面図及び正断面図、図５は同斜視図、図６は同展開図を示す。
【０００８】
図１〜図３に示すように、本発明の第１の実施の形態に係る環状蛍光灯の包装箱１０は、それぞれ厚みが約１．５ｍｍの両面段ボール（段ボールの一例）からなる表板部１１、裏板部１２、及びこれらを連結する対となる側板部１３、１４を備え、内側寸法が装着する環状蛍光灯１５の幅及び高さに実質的に一致する断面長方形の角筒体（スリーブ）１６を有している。
図３に示すように、表板部１１、裏板部１２及びこれらを連結する対となる側板部１３、１４は、展開状態では、実質的に矩形の一枚の両面段ボールのシート材からなっている。なお、側板部１４はシート材の両側端部に設けられた糊付け部１４ａ、１４ｂによって構成され、この部分に接着剤（例えば、ホットメルト、その他の紙用接着剤）が塗布されて接合部となり、組立時に接合して図１（Ｂ）に示すような側板部１４を形成している。
【０００９】
表板部１１には、収納された環状蛍光灯１５に内側から当接して環状蛍光灯１５の移動を防止する折り込み片２０、２１が左右対称に設けられている。この折り込み片２０（２１も同じ）は表板部１１に切り込みによって形成され、第１の折り曲げ線２２によって表板部１１に連結され、実質的に環状蛍光灯１５と同一高さの第１の折り曲げ板部２３と、第１の折り曲げ板部２３に第２の折り曲げ線２４を介して連結される第２の折り曲げ板部２５とを有している。前記第１の折り曲げ線２２は、第１の折り曲げ板部２３を内側に直角折りした場合、その上下両側部分が確実に装着した環状蛍光灯１５の内側に接するようになっている。
図２、図３に示すように、第２の折り曲げ線２４には一部に第１の折り曲げ板部２３に入り込む半円形の切り込み線２６を有し、使用にあっては、即ち、第２の折り曲げ線２４の部分を直角に折り曲げることによって、切り込み線２６によって、第２の折り曲げ板部２５に平面的に連通する摘み片２７が形成されるようになっている。
【００１０】
なお、図１（Ａ）の右側の折り込み片２１は、第１の折り曲げ線２２を介して第１の折り曲げ板部２３は直角に内折りされ、第２の折り曲げ線２４を介して第２の折り曲げ板部２５が直角に折り曲げられた状態を示すが、図１（Ａ）の左側の折り込み片２０は、第１、第２の折り曲げ線２２、２４の折り込みがなされておらず、第１、第２の折り曲げ板部２３、２５が表板部１１と同じ面内で平面状に保持されている状態を示す。また、図２の折り込み片２１は使用状態を、折り曲げ片２０は第１の折り曲げ線２２介して第１の折り曲げ板部２３を外側に折り曲げた状態を示す。
そして、図３に示すように、これらの寸法（単位：ｍｍ）は、ａ＝５２９、ａ１＝２９、ａ２＝２２５、ａ３＝３１、ａ４＝２２４、ａ５＝２０、ｂ＝２３０、ｂ１＝８０、ｂ２＝７０、ｂ３＝８０、ｃ１＝３５、ｃ２＝３１、ｃ３＝３２、ｃ４＝２９、ｃ５＝３２、ｃ６＝３１、ｃ７＝３５、Ｒ１＝１２である。このように、環状蛍光灯の包装箱１０を構成することによって、図７に示す従来の箱形式の包装箱６９に比較して約２８％のシート材の節約が可能となった。なお、本発明はこの実施の形態に示す具体的形状や寸法に限定されず、実際の環状蛍光灯１５の大きさに合わせて変更しうるものである（以下の実施の形態においても同じ）。また、３０ａ〜３０ｄは折り曲げ線を示す。
【００１１】
この環状蛍光灯の包装箱１０を使用する場合には、表板部１１に設けられている折り込み片２０、２１を折り曲げない状態、即ち、表板部１１と同一面にした状態で、環状蛍光灯１５を環状蛍光灯の包装箱１０、即ち角筒体（スリーブ）１６内にいずれか一方側の開口から入れる。なお、予め環状蛍光灯１５を展開状態の包装箱上に載せて、該包装箱を包みこむようにして組み立てる場合もある。次に、環状蛍光灯１５を環状蛍光灯の包装箱１０の中央位置に配置した状態で、折り込み片２０、２１を図１（Ｂ）に示すように、第２の折り曲げ板部２５が環状蛍光灯１５の下になるように折り込む。この時、第２の折り曲げ板部２５に平面的に連接する摘み片２７は、折り込み片２０、２１が切り抜かれた開口部２８、２９から見えることになる。この状態で環状蛍光灯１５は折り込み片２０、２１の第１の折り曲げ板部２３の両側（図１では上下）稜線２３ａ、２３ｂが当接して、環状蛍光灯１５の移動が防止され、これによって環状蛍光灯の包装箱１０に保持される。
環状蛍光灯１５を取り出す場合には、開口部２８、２９に指を入れて摘み片２７を引き出すことによって、折り込み片２０、２１を引き出し、環状蛍光灯１５の折り込み片２０、２１による掛止状態を解いて、角筒体１６の一方の開口より環状蛍光灯１５を押し出す。
【００１２】
次に、図４（Ａ）、（Ｂ）、図５、図６に示す本発明の第２の実施の形態に係る環状蛍光灯の包装箱３２について説明する。
環状蛍光灯の包装箱３２は２個の環状蛍光灯１５を収納するためのもので、それぞれ両面段ボール（厚みが約１．５ｍｍ）からなる表板部３３、中板部３４、裏板部３５、これらの両端を連結する対となる側板部３６、３７を備えている。表板部３３、中板部３４及び側板部３６、３７のそれぞれ上半分によって形成される第１の空間部３８、及び中板部３４、裏板部３５及び側板部３６、３７のそれぞれ下半分によって形成される第２の空間部３９の内側寸法が装着する環状蛍光灯１５の幅及び高さに実質的に一致する上下対となる断面長方形の角筒体（スリーブ）を有している。
そして、表板部３３及び裏板部３５には、挿入された環状蛍光灯１５に内側から当接して環状蛍光灯１５の移動を防止する左右対称の折り込み片４０、４１がそれぞれ設けられている。
【００１３】
それぞれの折り込み片４０、４１は、前記した第１の実施の形態に係る環状蛍光灯の包装箱１０の折り込み片２０、２１と実質的に同様に、第１の折り曲げ線２２によって表板部３３及び裏板部３５に連結されている。折り込み片４０、４１は、実質的に環状蛍光灯１５と同一高さの第１の折り曲げ板部２３と、第１の折り曲げ板部２３に第２の折り曲げ線２４を介して連結される第２の折り曲げ板部２５とを有している。第２の折り曲げ板部２５は、使用にあっては環状蛍光灯１５とこれが当接しようとする中板部３４との間に挟持されるようになっている。また、第２の折り曲げ板部２５には、平面的に連接する摘み片２７を有し、この摘み片２７は第１の折り曲げ板部２３に半円状に切り込み線２６によって形成されている。
【００１４】
図６は環状蛍光灯の包装箱３２の展開図を示すが、表板部３３と裏板部３５とは側板部３６によって連結され、中板部３４と表板部３３は側板部３７の一部（上半分）を構成する連結板部３７ａによって連結されている。中板部３４の他方側に端部には側板部３６の一部を構成する糊付け部３６ａが設けられている。また、裏板部３５の端部には側板部３７の主要部を構成し、一部には連結板部３７ａと糊接合される糊付け部３７ｂが設けられている。図６において、４５ａ〜４５ｆは折り曲げ線を示す。なお、糊付け部３６ａ、３７ｂは側板部３６、３７の接合部を構成する。
なお、図６の実施の形態における各部の寸法（ｍｍ）は、ｄ＝８４８、ｄ１＝６１、ｄ２＝２２５、ｄ３＝６２、ｄ４＝２２５、ｄ５＝３１、ｄ６＝２２４、ｄ７＝２０であり、その他の寸法は環状蛍光灯の包装箱１０と同一であるので、同一の符号を付して詳しい説明を省略する。
【００１５】
この環状蛍光灯の包装箱３２においては、図６に示すように所定の寸法に切断されて展開した状態の両面段ボールのシート材４６から、糊付け部３６ａ、３７ｂの糊付けを行って、図４に示すような環状蛍光灯の包装箱３２を作り、これの角筒状の第１、第２の空間部３８、３９にそれぞれ環状蛍光灯１５を装着し、表板部３３と裏板部３５にそれぞれ設けられている折り込み片４０、４１を押し下げ、第２の折り曲げ板部２５を環状蛍光灯１５と中板部３４との間に挟み込む。入り込み片４０、４１を押し下げることによって、それぞれの表板部３３及び裏板部３５に開口部４８、４９が形成される。摘み片２７は、表板部３３及び裏板部３５に形成された開口部４８、４９から覗いているので、摘み片２７を引き出すことによって、折り込み片４０、４１による環状蛍光灯１５の掛止状態を解除できる。
【００１６】
この場合、図６に示すように、シート材４６の表面に図示しない表示印刷をし、更に、中板部３４の部分には適当な印刷部５０を設けることもでき、この場合には、図４（Ｂ）に示すように、裏板部３５を正面側として約Ｐ方向にこの環状蛍光灯の包装箱３２を見ると、裏板部３５に形成された開口部４８、４９から印刷部５０を視認することができ、意匠効果や広告効果を発揮できる。この場合の印刷部５０はシート材４６に対して片面印刷であるので、同時印刷が可能であるという利点がある。
更には、略長方形に近い一枚の両面段ボールを使用して環状蛍光灯の包装箱３２を構成しているので、第１の実施の形態に係る環状蛍光灯の包装箱１０と同様に、紙の使用率が向上することは当然として、２つ環状蛍光灯１５を分ける中板部３４が一枚で済むのでシート材の節約が可能となる。
なお、前記実施の形態は実際の寸法を用いて説明したが、段ボールの厚み（例えば、０．８〜２ｍｍ）、環状蛍光灯の寸法に合わせて全体の寸法を変更する場合も当然本発明は適用される。
【００１７】
【発明の効果】
請求項１及びこれに従属する請求項２、５記載の環状蛍光灯の包装箱は、従来の全閉箱型の包装箱から、スリーブ型の包装箱に変えているので、段ボール製のシート材の節約が可能となると共に、実質的に長方形のシート材の殆ど全部を使用して環状蛍光灯の包装箱を構成できるので、シート材の使用率が向上した。
そして、スリーブ型の包装箱によって発生する環状蛍光灯の抜け防止を、表板部に設けた折り込み片を内側に押し込み、更にその先側に設けられた第２の折り曲げ板部を環状蛍光灯と裏板部との隙間に押し込むことによって、折り込み片を固定し、これによって、環状蛍光灯の移動を防止している。従って、確実に環状蛍光灯の包装箱から環状蛍光灯が抜け落ちることがなく、安心して使用できる。
特に、この折り込み片を構成する第２の折り曲げ板部は、挿入した環状蛍光灯によって押圧支持するようにしているので、不用意な取扱いや輸送中の荷重によって、折り込み片の支持状態が解除されるのを防止できる。
【００１８】
また、請求項３及びこれに従属する請求項４、５記載の環状蛍光灯の包装箱においては、それぞれ段ボール製のシート材からなる表板部、中板部、裏板部、これらの両端を連結する対となる側板部を備えて２つの環状蛍光灯が入る空間部を形成しているので、シート材の節約を図れることは当然として、シート材の利用率が向上する。
そして、表板部及び裏板部にそれぞれ設けた折り込み片によって、挿入した環状蛍光灯を内側から支持するので、環状蛍光灯の抜け落ちを防止できると共に、第２の折り曲げ板部が環状蛍光灯によってロックされているので、更に環状蛍光灯の落下防止、抜け落ち防止の確実性を向上させることができる。
特に、請求項５記載の環状蛍光灯の包装箱においては、第２の折り曲げ線には一部に第１の折り曲げ板部に入り込む切り込み線を有し、使用にあっては切り込み線によって、第２の折り曲げ板部に連通する摘み片が形成されるので、この摘み片を引っ張ることによって、折り込み片の掛止状態が解除でき、環状蛍光灯をこの環状蛍光灯の包装箱から容易に取り出すことがてきる。
【図面の簡単な説明】
【図１】（Ａ）、（Ｂ）はそれぞれ本発明の第１の実施の形態に係る環状蛍光灯の包装箱の平面図及び正断面図である。
【図２】同斜視図である。
【図３】同展開図である。
【図４】（Ａ）、（Ｂ）はそれぞれ本発明の第２の実施の形態に係る環状蛍光灯の包装箱の平面図及び正断面図である。
【図５】同斜視図である。
【図６】同展開図である。
【図７】従来例に係る環状蛍光灯の包装箱の展開図である。
【符号の説明】
１０：環状蛍光灯の包装箱、１１：表板部、１２：裏板部、１３、１４：側板部、１４ａ、１４ｂ：糊付け部、１５：環状蛍光灯、１６：角筒体、２０、２１：折り込み片、２２：第１の折り曲げ線、２３：第１の折り曲げ板部、２３ａ、２３ｂ：稜線、２４：第２の折り曲げ線、２５：第２の折り曲げ板部、２６：切り込み線、２７：摘み片、２８、２９：開口部、３０ａ〜３０ｄ：折り曲げ線、３２：環状蛍光灯の包装箱、３３：表板部、３４：中板部、３５：裏板部、３６：側板部、３６ａ：糊付け部、３７：側板部、３７ａ：連結部材、３７ｂ：糊付け部、３８：第１の空間部、３９：第２の空間部、４０、４１：折り込み片、４５ａ〜４５ｆ：折り曲げ線、４６：シート材、４８、４９：開口部、５０：印刷部
【図１】
0004578008.tif 000002
【図２】
0004578008.tif 000003
【図３】
0004578008.tif 000004
【図４】
0004578008.tif 000005
【図５】
0004578008.tif 000006
【図６】
0004578008.tif 000007
【図７】
0004578008.tif 000008